(57)【要約】【課題】電子線を被照射物に照射して殺菌又は滅菌を行う電子線殺菌方法において、被照射物内の吸収線量を均一化する電子線殺菌方法を提供すること。【解決手段】電子線を被照射物に照射して殺菌又は滅菌を行う電子線殺菌方法であって、電子線を遮蔽する遮蔽材を配置した領域ＳＡと、前記遮蔽材を配置しない領域ＳＢとを有する照射線量調整板２０を、電子線照射装置の電子線取出窓と前記被照射物との間に配置して被照射物に電子線を照射する、電子線殺菌方法。【選択図】図１
2020127641.tif 000002
【特許請求の範囲】
【請求項１】
電子線を被照射物に照射して殺菌又は滅菌を行う電子線殺菌方法であって、
電子線を遮蔽する遮蔽材を配置した領域ＳＡと、前記遮蔽材を配置しない領域ＳＢとを有する照射線量調整板を、
電子線照射装置の電子線取出窓と前記被照射物との間に配置して被照射物に電子線を照射する、電子線殺菌方法。
【請求項２】
前記照射線量調整板が、金属板から前記領域ＳＢに対応する領域の金属材料を除去して、残部の金属材料によって前記領域ＳＡを形成した照射線量調整板である、請求項１に記載の電子線殺菌方法。
【請求項３】
前記照射線量調整板が、前記遮蔽材として複数の金属板を使用し、前記複数の金属板を配置した領域を前記領域ＳＡとし、前記金属板を配置しない領域を前記領域ＳＢとした照射線量調整板である、請求項１に記載の電子線殺菌方法。
【請求項４】
前記照射線量調整板が、前記遮蔽材として複数個の金属タイルを使用し、前記複数の金属タイルを配置した領域を前記領域ＳＡとし、前記金属タイルを配置しない領域を前記領域ＳＢとした照射線量調整板である、請求項１に記載の電子線殺菌方法。
【請求項５】
前記照射線量調整板が、前記遮蔽材としての複数の金属球と、前記金属球を通過させない網目を有する篩とからなり、前記複数の金属球を前記篩の網目に配置した領域を前記領域ＳＡとし、前記金属球を配置しない領域を前記領域ＳＢとした照射線量調整板である、請求項１に記載の電子線殺菌方法。
【請求項６】
前記照射線量調整板が前記被照射物又は前記被照射物を収容した容器の電子線が照射される面上に載置される、請求項１〜５のいずれか１項に記載の電子線殺菌方法。
【請求項７】
前記電子線照射装置の電子線取出窓と前記被照射物との間で前記照射線量調整板を支持し、前記被照射物の搬送速度と同じ速度で前記照射線量調整板を搬送する照射線量調整板支持搬送手段を用いる、請求項１〜５のいずれか１項に記載の電子線殺菌方法。
【請求項８】
電子線を前記被照射物に照射する前に、前記被照射物にＸ線照射することによってイメージングし、得られた情報に基づいて前記照射線量調整板における前記遮蔽材の配置を決定する、請求項１〜７のいずれか１項に記載の電子線殺菌方法。
【発明の詳細な説明】
【技術分野】
【０００１】
本発明は、食品、医療用品等に電子線を照射して殺菌・滅菌するための電子線殺菌方法に関する。
【背景技術】
【０００２】
ガンマ線、Ｘ線、電子線といった放射線を食品や医療用品等に照射することにより、食品や医療用品等を殺菌・滅菌処理することが行われている。
上記の放射線は透過力を有しているために対象となる食品や医療用品等の被照射対象物を包装してから殺菌処理することができる。このため、一般に、放射線の照射を受ける被照射対象物は段ボールやコンテナ等の容器に収容された出荷状態で放射線殺菌される。
【０００３】
特許文献１には、食品を包装材内に収容して包装材を介して食品に放射線を照射する殺菌方法が記載されており、放射線を照射しても臭気が発生しにくい放射線照射用包装材についての開示がある。
【０００４】
また、特許文献２には、食品を収容する容器に電子線を照射することにより容器を滅菌する方法であって、照射線量の割合が大きい容器の部分に電子線を部分的に遮蔽する遮蔽手段を設けて前記遮蔽手段の上から前記電子線を照射することにより容器に略均一な線量を照射する方法が開示されている。
【０００５】
特許文献３には、放射線照射方向の断層像を撮影し被照射物の密度分布を取得する断層撮影手段と、前記密度分布に基づいて前記被照射物中での照射放射線の線量分布の変動を所定の基準幅以下に抑制するように照射条件を定める照射条件決定手段とを有し、放射線照射手段を制御して前記照射条件に応じた放射線照射を実施するようにした放射線照射装置が開示されている。
【先行技術文献】
【特許文献】
【０００６】
【特許文献１】特開２０１０−１５９３９８号公報
【特許文献２】特開平８−１５１０２１号公報
【特許文献３】特開２０００−１６７０２９号公報
【発明の概要】
【発明が解決しようとする課題】
【０００７】
放射線照射を行う際には、一般に照射線量及び照射時間を調整して要求される吸収線量を被照射物に付与する必要がある。被照射物の物質密度が均一でない場合、被照射物内の吸収線量が不均一となり、均一な殺菌・滅菌の効果が得られない。
この問題は、ガンマ線やＸ線と比較して、透過率が低い電子線照射の場合に顕著となる。照射のばらつきが大きくなると、被照射物について指定されている最大線量を超過したり、最小線量を下回ったりする。最大線量を超えて付与すると放射線による劣化が生じ、最小線量を下回ると期待した殺菌・滅菌の効果が得られない。
また、上記特許文献３に記載の方法は、装置が大がかりとなり簡便な方法ではない。
【０００８】
本発明は、被照射物内の吸収線量を均一化する電子線殺菌方法を提供することを目的とする。
【課題を解決するための手段】
【０００９】
上記課題を解決するための本発明は、以下に記載する通りの電子線殺菌方法である。
電子線を被照射物に照射して殺菌又は滅菌を行う電子線殺菌方法であって、
電子線を遮蔽する遮蔽材を配置した領域ＳＡと、前記遮蔽材を配置しない領域ＳＢとを有する照射線量調整板を、
電子線照射装置の電子線取出窓と前記被照射物との間に配置して被照射物に電子線を照射する、電子線殺菌方法。
【発明の効果】
【００１０】
本発明の電子線殺菌方法を採用することにより、被照射物内の吸収線量を均一化することができる。
【図面の簡単な説明】
【００１１】
【図１】本発明の電子線殺菌方法の実施形態の概要を説明する図である。
【図２】本発明における照射線量調整板の1つの実施形態を示す図である。
【図３】本発明における照射線量調整板の他の実施形態を示す図である。
【図４】本発明における照射線量調整板の他の実施形態を示す図である。
【図５】本発明の殺菌方法の1つの実施形態を示す図である。図５Ａは電子線照射装置の正面図であり、図５Ｂは電子線照射装置の側面図である。
【図６】本発明の殺菌方法の他の実施形態を示す図である。
【図７】図６に示した実施形態における照射線量調整板支持搬送手段の動作の一例を示す図である。
【図８】本発明の殺菌方法の実施形態を示す図である。
【発明を実施するための形態】
【００１２】
本発明は下記（１）の電子線殺菌方法に関するものであるが、他の実施形態として下記（２）〜（８）の実施形態を含むのでこれらについても以下説明する。
（１）電子線を被照射物に照射して殺菌又は滅菌を行う電子線殺菌方法であって、
電子線を遮蔽する遮蔽材を配置した領域ＳＡと、前記遮蔽材を配置しない領域ＳＢとを有する照射線量調整板を、
電子線照射装置の電子線取出窓と前記被照射物との間に配置して被照射物に電子線を照射する、電子線殺菌方法。
（２）前記照射線量調整板が、金属板から前記領域ＳＢに対応する領域の金属材料を除去して、残部の金属材料によって前記領域ＳＡを形成した照射線量調整板である、上記（１）に記載の電子線殺菌方法。
（３）前記照射線量調整板が、前記遮蔽材として複数の金属板を使用し、前記複数の金属板を配置した領域を前記領域ＳＡとし、前記金属板を配置しない領域を前記領域ＳＢとした照射線量調整板である、上記（１）に記載の電子線殺菌方法。
（４）前記照射線量調整板が、前記遮蔽材として複数個の金属タイルを使用し、前記複数の金属タイルを配置した領域を前記領域ＳＡとし、前記金属タイルを配置しない領域を前記領域ＳＢとした照射線量調整板である、上記（１）に記載の電子線殺菌方法。
（５）前記照射線量調整板が、前記遮蔽材としての複数の金属球と、前記金属球を通過させない網目を有する篩とからなり、前記複数の金属球を前記篩の網目に配置した領域を前記領域ＳＡとし、前記金属球を配置しない領域を前記領域ＳＢとした照射線量調整板である、上記（１）に記載の電子線殺菌方法。
（６）前記照射線量調整板が前記被照射物又は前記被照射物を収容した容器の電子線が照射される面上に載置される、上記（１）〜（５）のいずれか１項に記載の電子線殺菌方法。
（７）前記電子線照射装置の電子線取出窓と前記被照射物との間で前記照射線量調整板を支持し、前記被照射物の搬送速度と同じ速度で前記照射線量調整板を搬送する照射線量調整板支持搬送手段を用いる、上記（１）〜（５）のいずれか１項に記載の電子線殺菌方法。
（８）電子線を前記被照射物に照射する前に、前記被照射物にＸ線照射することによってイメージングし、得られた情報に基づいて前記照射線量調整板における前記遮蔽材の配置を決定する、上記（１）〜（７）のいずれか１項に記載の電子線殺菌方法。
【００１３】
まず、本発明の実施形態で使用することができる電子線照射装置の概要を図５Ａ及び図５Ｂに基づいて説明する。
図５Ａは電子線照射装置３０の正面図であり、図５Ｂは電子線照射装置３０の側面図である。
電子線照射装置３０は、被照射物１を収容した容器２に電子線Ｅを照射する装置本体１１と、装置本体１１の下方に配置された被照射物１を収容した容器２を搬送する搬送装置１２とを含む。
装置本体１１は、電子を発生する電子銃１３と、電子銃１３で発生した電子を下方に加速する加速管１４と、加速管１４からの電子線を水平面内で走査する電磁石１５と、電磁石１５で走査された電子線Ｅを下方に出射するスキャンホーン１６とを備えている。スキャンホーン１６の下部には、電子線Ｅを下方に取り出すための電子線取出窓１７が設けられる。
【００１４】
上記の電子線照射装置３０を使用する場合、被照射物１の吸収線量を調整することが可能なパラメータは３つあり、そのパラメータは、被照射物１を搬送する搬送装置１２のコンベアの移動速度、電子線のエネルギー及び電流値である。
しかしながら、これらのパラメータを調整するだけでは、被照射物の物質密度が均一でない場合には被照射物１内の吸収線量が不均一となり、均一な殺菌・滅菌の効果が得られない。
【００１５】
本実施形態においては、予め被照射物１のイメージングを実施して、被照射物１を構成する材料のかさ密度（充填度）に関する情報を取得する。イメージングは、被照射物１をＸ線でスキャンし、透過したＸ線の透過量から、被照射物内のかさ密度の分布を把握する。そして、かさ密度が小さい領域に対しては電子線を少なく照射して低線量を付与し、かさ密度が大きい領域に対してはより多くの電子線を照射して、高線量を付与するようにする。
イメージングは、容器２内の被照射物１の形状、配置に応じて二次元イメージングを行っても良いし、三次元イメージングを行ってもよい。
なお、被照射物１の材料、容器２内での被照射物１の配置が分かっている場合にはイメージングを行う必要はない。
また、以下では、容器２内における、被照射物１のかさ密度が大きく高線量を付与する必要がある領域を重点照射領域Ｂといい、かさ密度が小さく低線量を付与する必要がある領域を非重点照射領域Ａということがある。
【００１６】
次いで、本実施形態においては非重点照射領域Ａに対応する領域に遮蔽材を配置した照射線量調整板２０を電子線照射装置３０と被照射物１を収容する容器２との間に配置して、この照射線量調整板２０を介して被照射物１に電子線照射を行う。
照射線量調整板２０は被照射物１の非重点照射領域Ａに対応する照射線量調整板２０の領域（「領域ＳＡ」という）に電子線Ｅを遮蔽する遮蔽材を配置する。これにより、照射線量調整板２０における、被照射物１の重点照射領域Ｂに対応する照射線量調整板の領域（「領域ＳＢ」という）が形成される。
電子線Ｅの遮蔽材としては、アルミ板等の金属板やプラスチック板を用いることができる。
遮蔽材の材質や構造を選択・調整することにより電子線の一部を透過させることも、電子線を完全に遮断することも可能である。
【００１７】
以下、照射線量調整板２０の実施形態を図１〜図４に基づいて説明する。
図１Ａは、容器２内に被照射物１が収容された状態を示す図である。
図１Ａにおける符号Ａで示す部分が非重点照射領域であり、符号Ｂで示す部分が重点照射領域である。
図１Ｂは、照射線量調整板２０を示す図である。この照射線量調整板２０は、容器２内の非重点照射領域Ａに対応する領域ＳＡに複数の金属板３を配置し、容器２内の重点照射領域Ｂに対応する領域ＳＢに開口部が形成されるようにしたものである。
長さや幅の異なる複数の金属板３を組み合わせることによって種々の形状の重点照射領域Ｂに対応する開口部１０を形成することができる。
【００１８】
図２Ａは、金属板５から容器２内の重点照射領域Ｂに対応する領域ＳＢの金属材料を除去して開口部１０を形成し、残部の金属材料によって領域ＳＡを形成した照射線量調整板を示す。
図２Ｂは、容器２内の重点照射領域Ｂが間隔をおいて複数個存在する場合に用いる照射線量調整板を示し、重点照射領域Ｂに対応する照射線量調整板２０の領域ＳＢに開口１０部が形成されている。
開口部１０に対応する重点照射領域Ｂには高線量が付与され、開口部１０以外の部分に対応する非重点照射領域Ａには低線量が付与される。
金属板５から部分的に金属材料を除去する方法としては、型抜による方法、エッチングによる方法等を採用することができる。
【００１９】
図３は、遮蔽材として金属タイル６を用いた例を示す。
複数の金属タイル６を用いて、この金属タイル６を非重点照射領域Ａに対応する枠体４内の領域ＳＡに配置することによって、領域ＳＢに対応する位置に開口部１０を形成したものである。
同形状又は異なる形状の金属タイル６を組み合わせることによって重点照射領域の形状に追従する開口部１０を形成することができる。
【００２０】
図４は、遮蔽材として金属球７を用いた例を示す。
この金属球７は金属球７を通過させない網目を有する篩８によって保持される。
複数の金属球７を篩の網目に配置して領域ＳＡを形成し、金属球７を配置しない領域を領域ＳＢとする。金属球７は形状が小さいものを使用することにより、重点照射領域の形状に追従する開口物１０を形成することができる。また、金属球７は容易に取り外しができるため、照射線量調整板２０の作成も容易となる。
【００２１】
図５Ｂに、本発明の電子線殺菌方法の一実施形態を示す。
本実施形態では、容器２の電子線が照射される面上に照射線量調整板２０が載置される。容器２の電子線が照射される面上に照射線量調整板２０を載置することによって照射線量調整板２０の領域ＳＡに対応する非重点照射領域Ａには低線量が照射され、領域ＳＢに対応する重点照射領域Ｂには高線量が照射されて、殺菌・滅菌処理が行われる。
また、被照射物１が容器２に収容されていない場合であって、被照射物１の電子線が照射される面上に照射線量調整版２０を載置できる場合には、被照射物１の電子線が照射される面上に照射線量調整板２０を載置しても良い。
【００２２】
図６に本発明の電子線殺菌方法の他の実施形態を示す。
この実施形態では、照射線量調整板２０を電子線照射装置３０の電子線取出窓と容器２との間で照射線量調整板２０を支持し、容器２の搬送速度と同じ速度で照射線量調整板２０を搬送する照射線量調整板支持搬送手段２１を用いる。
この、照射線量調整板支持搬送手段２１は例えば、複数個の照射線量調整板２０を間隔をおいて支持し、ループ経路に沿って照射線量調整板２０を容器２の照射面に搬送し、容器２と同じ速度で移動させる。これにより、照射線量調整板２０の領域ＳＡを透過した低線量の電子線が被照射物の非重点照射領域Ａに照射され、領域ＳＢを通過した高線量の電子線が被照射物の重点照射領域Ｂに照射される。
【００２３】
他の態様としては、図７に示すように、照射線量調整板支持搬送手段２１を電子線照射装置３０の電子線照射領域の入口ａと出口ｂとの間で往復動させ、ａの位置で照射線量調整板２０を容器２の上面を覆うように配置し、容器２がｂの位置に達したら、照射線量調整板２０をａの位置に戻すようにしてもよい。
【００２４】
電子線は透過力が弱いため、電子線を一方向から照射するだけでは、被照射物１の電子線取出窓に近い領域と遠い領域とでは照射線量に差が生じるため、吸収線量を均一にすることができない。このため、図８に示すように向かい合う面に対して電子線Ｅを照射することが好ましい。
具体的には、まず、搬送装置１２によって被照射物を収容した容器２を搬送しながら容器２の天面側から電子線を照射し、次いで、容器の上下を逆にして底面を上側にして搬送し、この底面に電子線を照射する方法を採用することができる。
【符号の説明】
【００２５】
１  被照射物
２  容器
３、５  金属板
４  枠体
６  金属タイル
７  金属球
８  篩
１０  開口部
１１  電子線照射装置の装置本体
１２  搬送装置
１３  電子銃
１４  加速管
１５  電磁石
１６  スキャンホーン
１７  電子線取出窓
２０  照射線量調整板
２１  照射線量調整板支持搬送手段
３０  電子線照射装置
Ｅ  電子線
Ａ  非重点照射領域
Ｂ  重点照射領域
ＳＡ  領域ＳＡ
ＳＢ  領域ＳＢ
【図１】
2020127641.tif 000003
【図２】
2020127641.tif 000004
【図３】
2020127641.tif 000005
【図４】
2020127641.tif 000006
【図５】
2020127641.tif 000007
【図６】
2020127641.tif 000008
【図７】
2020127641.tif 000009
【図８】
2020127641.tif 000010